(57)【特許請求の範囲】
【請求項１】
林道、遊歩道、森林公園の通路等を形成する地面を地ならししてソイルコンクリート層を形成するソイルコンクリート層形成工程と、このソイルコンクリート層形成工程で形成されたソイルコンクリート層の上面に少なくともアスファルト合材と廃プラスチック材を加熱混練し、土木工事等の規格に合格する比重が１．８以上の所定のブロック形状に形成された舗石を並べて覆う舗石敷設工程と、この舗石敷設工程で敷設された舗石の上面に必要に応じて行うアスファルト層を形成するアスファルト層形成工程とを含むことを特徴とする林道等の簡易舗装工法。
【請求項２】
砂防ダム等の三面水路を形成する、地面を逆台形状となるように地ならしして底面および両側面にソイルコンクリート層を形成するソイルコンクリート形成工程と、このソイルコンクリート形成工程で形成された底面のソイルコンクリート層の上面に少なくともアスファルト合材と廃プラスチック材を加熱混練し、土木工事等の規格に合格する比重が１．８以上で重さが１トン以上のブロック形状に形成された舗石を少なくとも１段以上並べて覆う底面舗石敷設工程と、前記ソイルコンクリート層形成工程で形成された両側面のソイルコンクリート層の上面に少なくともアスファルト合材と廃プラスチック材を加熱混練し、土木工事等の規格に合格する比重が１．８以上で重さが１トン以上のブロック形状に形成された両側面舗石を並べて覆う両側面舗石敷設工程とを含むことを特徴とする砂防ダム等の三面水路形成工法。
【発明の詳細な説明】
【０００１】
【産業上の利用分野】
本発明は林道、遊歩道、森林公園の通路等に簡易舗装を行なう、林道等の簡易舗装工法、砂防ダム等の三面水路を形成する砂防ダム等の三面水路工法およびこれらに使用される舗石に関する。
【０００２】
【従来の技術】
従来、林道を形成する場合、地ならしを行なった後、３０〜５０センチメートルの厚さに小石や砂を敷設する路盤工事を行ない、該路盤上に１０〜１５センチメートルの厚さにアスファルト舗装を行なって形成している。
また、砂防ダム等の三面水路を形成する場合、逆台形状となるように地ならしをして底面および両側面にソイルコンクリート層を形成した後、該ソイルコンクリート層上に平鋼とボルトを組み合わせたカゴに玉石を詰めたものを並べて覆って形成している。
【０００３】
【本発明が解決しようとする課題】
従来の林道は路盤工事を行なっているので、小石や砂が必要で、手数と時間がかかり、コスト高になり簡単に施工することができないという欠点があった。
また、砂防ダム等の三面水路は玉石を詰めるカゴを用いるため、コスト高になるとともに、玉石の確保が難しく、使用中に玉石がカゴ内より流出してしまうという欠点があった。
【０００４】
本発明は以上のような従来の欠点に鑑み、手数がかかる路盤工事を用いることなく、簡単に施工することができる林道等の簡易舗装工法を提供することを目的としている。
また、本発明はカゴや玉石を用いることなく、アスファルト合材、廃アスファルト合材や廃プラスチック材を用いて形成した、土木工事等の規格に合格する比重が１．８以上のブロック状の舗石を用いて安価に耐久性に優れ、楽に施工することができる砂防ダム等の三面水路形成工法を提供することを目的としている。  さらに、本発明はアスファルト合材や廃プラスチック材で、土木工事等の規格に合格する比重が１．８以上のコンクリートブロックよりも重くて、圧縮、引張強度が２倍以上の舗石を提供することを目的としている。
【０００５】
本発明の前記ならびにそのほかの目的と新規な特徴は次の説明を添付図面と照し合せて読むと、より完全に明らかになるであろう。
ただし、図面はもっぱら解説のためのものであって、本発明の範囲を限定するものではない。
【０００６】
【課題を解決するための手段】
上記目的を達成するために、本発明は林道、遊歩道、森林公園の通路等を形成する地面を地ならししてソイルコンクリート層を形成するソイルコンクリート層形成工程と、このソイルコンクリート層形成工程で形成されたソイルコンクリート層の上面に少なくともアスファルト合材と廃プラスチック材を加熱混練し、土木工事等の規格に合格する比重が１．８以上の所定のブロック形状に形成された舗石を並べて覆う舗石敷設工程と、この舗石敷設工程で敷設された舗石の上面に必要に応じて行うアスファルト層を形成するアスファルト層形成工程とで林道等の簡易舗装工法を構成している。
また、本発明は砂防ダム等の三面水路を形成する、地面を逆台形状となるように地ならしして底面および両側面にソイルコンクリート層を形成するソイルコンクリート形成工程と、このソイルコンクリート形成工程で形成された底面のソイルコンクリート層の上面に少なくともアスファルト合材と廃プラスチック材を加熱混練し、土木工事等の規格に合格する比重が１．８以上で重さが１トン以上のブロック形状に形成された舗石を少なくとも１段以上並べて覆う底面舗石敷設工程と、前記ソイルコンクリート層形成工程で形成された両側面のソイルコンクリート層の上面に少なくともアスファルト合材と廃プラスチック材を加熱混練し、土木工事等の規格に合格する比重が１．８以上で重さが１トン以上のブロック形状に形成された両側面舗石を並べて覆う両側面舗石敷設工程とで砂防ダム等の三面水路形成工法を構成している。
【０００７】
【作用】
上記のように構成された林道等の簡易舗装工法は、少なくともアスファルト合材と廃プラスチック材を加熱混練し、土木工事等の規格に合格する比重が１．８以上のブロック形状に形成された舗石を用いているので、簡単なソイルコンクリート層の上に舗石を並べ、その上に必要に応じて行うアスファルト層を形成することにより、林道等の簡易舗装ができる。
上記のように構成された砂防ダム等の三面水路形成工法は、土木工事等の規格に合格する比重が１．８以上で重さが１トン以上のブロック形状の舗石を並べているので、玉石を詰めるカゴが不用で、使用中に玉石が流出することがない。
【０００８】
【本発明の実施例】
以下、図面に示す実施例により、本発明を詳細に説明する。
【０００９】
図１ないし図７の本発明の第１の実施例において、１は林道、遊歩道、森林公園の通路等を形成する地面Ａを地ならしＬし、例えば５〜１０センチメートルの厚さのソイルコンクリート層２を形成するソイルコクンリート層形成工程で、このソイルコンクリート層形成工程１の地面Ａの地ならしＬは従来と同様な方法で行なう。
また、ソイルコンクリート層２は従来と同様にセメントと、現場泥砂とを混合して使用している。
【００１０】
３は前記ソイルコンクリート層形成工程１で形成されたソイルコンクリート層２の上面に、例えば土木工事等の規格に合格する比重が１．８以上で厚さが８センチメートル、一辺の長さが４９．５センチメートルの正方形状に形成された舗石４を並べて覆う舗石敷設工程で、この舗石敷設工程３で使用される舗石４は舗石の製造装置５を用いてアスファルト合材、廃アスファルト合材を１６０°Ｃ〜３００°Ｃに加熱する加熱された廃油６が収納された廃油槽７内へ投入して溶融処理するアスファルト合材溶融処理工程８と、このアスファルト合材溶融処理工程８で溶融した溶融アスファルト合材を１６０°Ｃ〜２７０°Ｃに加熱される加熱混練機９に投入するとともに、所定量の廃プラスチック、必要に応じて所定量の砕石、ガラス、金属等の重量廃材、水酸化カルシウムや水酸化ナトリウム等の添加剤１０を投入し、加熱混練する加熱混練工程１１と、この加熱混練工程１１で加熱混練されたものを成型機１２を用いて圧力を加えて所定の形状に成型する成型工程１３とで製造されたものが使用されている。
このようにして製造された舗石４は圧縮強度や引張強度がコンクリートの１．５〜２倍以上であり、不純物の溶出も環境庁告示１３号にも適合するものが得られる。
【００１１】
なお、１００°Ｃのお湯に５〜１０数分程つけた廃アスファルト合材に燃焼バーナーの火炎を吹付けて攪拌することにより、廃アスファルト合材は小さくなるので、この状態で所定量の廃プラスチック、必要に応じて所定量の砕石、ガラス、金属等の重量廃材、水酸化カルシウムや水酸化ナトリウム等の添加剤１０を投入し、１６０°Ｃ〜２７０°Ｃに加熱しながら加熱混練する加熱混練工程を用いて舗石４を製造しても良い。
【００１２】
１４は前記舗石敷設工程１３で並べられた舗石４上を薄く覆うように、例えば厚さが２〜３センチメートルのアスファルト層１５を形成するアスファルト層形成工程で、このアスファルト層形成工程１４で形成されるアスファルト層１５は従来の方法と同様な方法で行なう。
なお、このアスファルト層形成工程１４は必要に応じて行うもので、舗石４をむきだしにした状態の遊歩道や森林公園の通路等にしても良い。
【００１３】
上記のようにして施工された林道１６等は、従来のように手数と時間のかかる路盤工事を必要としないため、短期間に周囲の小石を使用することなく、簡単に行なうことができる。
【００１４】
【本発明の異なる実施例】
次に図８ないし図１７に示す本発明の異なる実施例につき説明する。なお、これらの本発明の異なる実施例の説明に当って、前記本発明の第１の実施例と同一構成部分には同一符号を付して重複する説明を省略する。
【００１５】
図８ないし図１４の本発明の第２の実施例において、前記本発明の第１の実施例と主に異なる点は舗石４と、この舗石４と同様に製造される図１０に示す、例えば１２５×１００ミリメートルの角柱状の枕石１７を用いて階段１８を有する遊歩道１９を形成した点で、このようにしても前記本発明の第１の実施例と同様な作用効果が得られる。
【００１６】
なお図１１に示すように、例えば１０５×１００ミリメートルの角柱状の枕石１７Ａを用いることにより、図１２に示すような傾斜角の階段１８Ａを形成することができ、図１３に示すように、例えば８５×１００ミリメートルの角柱状の枕石１７Ｂを用いることにより、図１４に示すような傾斜角の階段１８Ｂを形成することができる。
【００１７】
図１５ないし図１７の本発明の第３の実施例において、前記本発明の第１の実施例と主に異なる点は、砂防ダム等の三面水路を形成する地面に逆台形状となるように地ならしして、底面および両側面にソイルコンクリート層２を形成するソイルコンクリート層形成工程１Ａと、このソイルコンクリート層形成工程１Ａ後に底面のソイルコンクリート層２の上面に重量が１トン以上の、例えば９００×１２００×６５０センチメートルのブロック状の舗石４Ａを少なくとも１段以上並べて覆う底面舗石敷設工程２０と、前記ソイルコンクリート層形成工程１Ａで形成された両側面のソイルコンクリート層２、２の上面に前記ブロック状の舗石と同一あるいは大きさの異なる両側用舗石２１を並べて覆う両側面舗石敷設工程２２とで砂防ダム等の三面水路２３を形成した点で、このように構成することにより、従来の玉石を詰めるカゴが不用で、玉石の採取による自然破壊や使用中に玉石の流出等の不具合を防止することができる。
【００１８】
なお、底面ソイルコンクリート層２の上面に複数段にブロック状の舗石４Ａを積み重ねる場合には、同じ大きさのブロック状の舗石４Ａを用いてもよく、あるいは底面側に大きな寸法のブロック状の舗石を使用し、上部に小さな寸法のブロック状の舗石を重ねてもよい。
【００１９】
【本発明の効果】
以上の説明から明らかなように、本発明にあっては次に列挙する効果が得られる。
【００２０】
（１）林道、遊歩道、森林公園の通路等を形成する地面を地ならししてソイルコンクリート層を形成するソイルコンクリート層形成工程と、このソイルコンクリート層形成工程で形成されたソイルコンクリート層の上面に少なくともアスファルト合材と廃プラスチック材を加熱混練し、土木工事等の規格に合格する比重が１．８以上の所定のブロック形状に形成された舗石を並べて覆う舗石敷設工程と、この舗石敷設工程で敷設された舗石の上面に必要に応じて行うアスファルト層を形成するアスファルト層形成工程とからなるので、従来手数がかかり、コスト高となる路盤工事が不用であるので、簡単に施工することができる。
【００２１】
（２）前記（１）によって、舗石はアスファルト合材、廃アスファルト合材と廃プラスチック材を用いて、土木工事等の規格に合格する比重が１．８以上のブロック状に形成されたものを用いているので、周囲にある小石や玉石が不用で、自然破壊を効率よく防止することができる。
【００２２】
（３）前記（１）によって、舗石は産業廃棄物である、廃棄処分に苦労している廃アスファルト合材や廃プラスチック材を用いているので、安価で、産業廃棄物を有効に使用することができる。
【００２３】
（４）請求項２も前記（１）〜（３）と同様な効果が得られるとともに、従来のように玉石を詰めるカゴを使用しないので、玉石が流出する事故を確実に防止することができる。
【図面の簡単な説明】
【図１】本発明の第１の実施例を示す工程図。
【図２】地ならしした状態の説明図。
【図３】ソイルコンクリート層を形成した状態の説明図。
【図４】舗石敷設工程の説明図。
【図５】舗石の製造工程を示す工程図。
【図６】舗石の製造装置の説明図。
【図７】アスファルト層形成工程の説明図。
【図８】本発明の第２の実施例を示す断面図。
【図９】本発明の第２の実施例を示す平面図。
【図１０】枕石の斜視図。
【図１１】異なる枕石の斜視図。
【図１２】階段部分の断面図。
【図１３】異なる枕石の斜視図。
【図１４】階段部分の断面図。
【図１５】本発明の第３の実施例の工程図。
【図１６】本発明の第３の実施例で施工された三面水路の断面図。
【図１７】本発明の第３の実施例で施工された三面水路の平面図。
【符号の説明】
１、１Ａ：ソイルコンクリート層形成工程、
２：ソイルコンクリート層、３：舗石敷設工程、
４、４Ａ：舗石、          ５：舗石の製造装置、
６：廃油、                ７：廃油槽、
８：アスファルト合材溶融処理工程、
９：加熱混練機、        １０：添加剤、
１１：加熱混練工程、    １２：成型機、
１３：成型工程、        １４：アスファルト層形成工程、
１５：アスファルト層、  １６：林道、
１７、１７Ａ、１７Ｂ：枕石、
１８、１８Ａ、１８Ｂ：階段、
１９：遊歩道、          ２０：底面舗石敷設工程、
２１：側面用舗石、      ２２：両側面舗石敷設工程、
２３：砂防ダム等の三面水路。
【図１】
0003574188.tif 000002
【図２】
0003574188.tif 000003
【図３】
0003574188.tif 000004
【図４】
0003574188.tif 000005
【図５】
0003574188.tif 000006
【図６】
0003574188.tif 000007
【図７】
0003574188.tif 000008
【図８】
0003574188.tif 000009
【図９】
0003574188.tif 000010
【図１０】
0003574188.tif 000011
【図１１】
0003574188.tif 000012
【図１２】
0003574188.tif 000013
【図１３】
0003574188.tif 000014
【図１４】
0003574188.tif 000015
【図１５】
0003574188.tif 000016
【図１６】
0003574188.tif 000017
【図１７】
0003574188.tif 000018